【手続補正書】
【提出日】平成20年6月10日(2008.6.10)
【手続補正１】
【補正対象書類名】明細書
【補正対象項目名】特許請求の範囲
【補正方法】変更
【補正の内容】
【特許請求の範囲】
【請求項１】  周囲部によって画定された開口部を有する半密閉容器を形成するように組みたてられた少なくとも１枚のシートの軟質材料を含む袋であって、前記袋が、前記開口部に対して直角の充填方向を有し、前記袋が、前記周囲部に並置された閉鎖領域を含み、前記閉鎖領域が、第１区域と第２区域を包含し、前記シートに引張り力が加えられたときに前記第１区域が、分子レベルの変形を受けると共に前記第２区域が、最初に幾何学的変形を受け、ここで前記袋の前記閉鎖領域が、前記充填方向に平行に加えられた引張り力に応じて前記充填方向に伸張性を有することを特徴とする軟質袋。
【請求項２】  前記袋が、底部を有し、前記底部が、前記開口部に対向し、前記閉鎖領域が、前記袋の前記底部を横切らない、請求項１に記載の軟質袋。
【請求項３】  前記閉鎖領域が、前記袋の前記開口部の周囲を包囲する、請求項１及び請求項２のいずれか１項に記載の軟質袋。
【請求項４】  前記第１区域と前記第２区域が、視覚的に相互に異なる、請求項１、請求項２及び請求項３のいずれか１項に記載の軟質袋。
【請求項５】  前記第２区域が、複数の隆起したリブ状要素を包含し、各前記隆起したリブ状要素が、長軸及び長軸に直交する短軸を有し、ここで前記長軸が、前記充填方向に対し直角である、請求項１、請求項２、請求項３及び請求項４のいずれか１項に記載の軟質袋。
【請求項６】  前記閉鎖領域が、前記周囲部に隣接する周囲領域によって前記周囲部から離れて配置されており、前記周囲部が、誘起弾性を有しないことを特徴とする、請求項１、請求項２、請求項３、請求項４及び請求項５のいずれか１項に記載の軟質袋。
【請求項７】  周囲部によって画定された開口部を有する半密閉容器を形成するように組みたてられた少なくとも１枚のシートの軟質材料を含む袋であって、前記袋が、前記開口部に対して直角の充填方向を有し、前記袋が、前記周囲部に並置された閉鎖領域を含み、前記閉鎖領域が、第１区域と第２区域を包含し、前記シートに引張り力が加わったときに前記第１区域が、分子レベルの変形を受けると共に前記第２区域が、最初に幾何学的変形を受け、ここで、前記袋の前記閉鎖領域が、前記充填方向に平行に加えられた引張り力に応じて前記充填方向に対して伸張性を有し、且つ前記閉鎖領域が、前記充填方向に関して２２度から６７度までの角度で加えられた引張り力に応じて、前記充填方向に関して２２度から６７度までの角度で伸張性を有する領域を含むことを特徴とする袋。
【請求項８】 前記袋が、底部を有し、前記底部が、前記開口部と対向し、前記袋が、前記閉鎖区域に並置されると共に前記袋の前記底部に向けて配置されて、誘起伸張性を持つ第２区域を有し、前記第２区域が、前記充填方向に関して直角な方向に加えられた引張り力に応じて前記充填方向に関して直角な方向に伸張性を有する、請求項７に記載の袋。
【請求項９】  前記第２区域が、前記袋の前記底部を横切らない、請求項８に記載の袋。
【請求項１０】  前記角度が、前記充填方向に関して９５度である、請求項７、請求項８及び請求項９のいずれか１項に記載の袋。
【手続補正２】
【補正対象書類名】明細書
【補正対象項目名】０００２
【補正方法】変更
【補正の内容】
【０００２】
（発明の背景）
袋、特に軟質袋は比較的安価な高分子材料で製造されることが多い。このような袋は各種物品及び／若しくは材料の収容及び／または処理のために広く採用されてきた。袋の使用時に通常発生する外部から加えられる力に対して、袋の材料が追従、若しくは曲がることより、本明細書で使用する場合、「軟質」という用語は特に反復してたわむ、若しくは曲がる能力のある材料を指す。そのため、「軟質（以下、可撓性ともいう。）」は、使用時に通常発生する外部から加えられる力に対して「柔軟性のない」、「剛性の」、若しくは「屈曲性に欠けた」という用語と実質的に反対の意味を有する。そのため可撓性のある材料及び構造は、外部からの力に追従して形状及び構造を変え、接触する対象物に応じて一体性を失うことなくその形状を変える。例えば、可撓性袋は丈夫なゴミ箱のライナーとして使用される。
【手続補正３】
【補正対象書類名】明細書
【補正対象項目名】０００６
【補正方法】変更
【補正の内容】
【０００６】
本発明の譲受人に譲渡された１９９９年６月１８日にジャクソン（Jackson）の名前で申請された米国特許出願第０９／３３６，２１１号明細書、及びメイヤー（Meyer）らの名前で１９９９年６月１８日に申請された米国特許出願第０９／３３６，２１２号明細書は、その開示が本明細書に参照として組み入れられ、閉鎖部を有する可撓性袋を開示している。特に、引き紐タイプの閉鎖部、結べるハンドル若しくはフラップ、ツイストタイ若しくは連動ストリップ閉鎖部、接着剤ベースの閉鎖部、連動機械式シール、取外し可能なタイ、あるいは袋組成物からつくられた帯及びヒートシールが開示されている。
【手続補正４】
【補正対象書類名】明細書
【補正対象項目名】００２２
【補正方法】変更
【補正の内容】
【００２２】
シート材料５２は第１表面５２ａ及びそれと向かい合う第２表面５２ｂを有する。図２に示された好ましい実施形態において、引張可能な網状組織には、複数の第１区域６４及び複数の第２区域６６が包含される。第１区域６４は第１軸線６８及び第２軸線６９を有し、第１軸線６８は好ましくは第２軸線６９よりも長い。第１区域６４の第１軸線６８はシート材料５２の長手方向軸線「Ｌ」と実質的に平行であり、第２軸線６９はシート材料５２の横断方向軸線「Ｔ」と実質的に平行である。好ましくは、第１区域６４の第２軸線、すなわち第１区域６４の幅は約０．０２５ｃｍ〜約１．３ｃｍ（約０．０１インチ〜約０．５インチ）までで、さらに好ましくは約０．０７６ｃｍ〜約０．６４ｃｍ（約０．０３インチ〜約０．２５インチ）までである。第２区域６６は第１軸線７０及び第２軸線７１を有する。第１軸線７０は実質的にシート材料５２の長手方向軸線に平行であり、第２軸線７１は実質的にシート材料５２の横断方向軸線に平行である。好ましくは、第２区域６６の第２軸線、第２区域６６の幅は約０．０２５ｃｍ〜約５．１ｃｍ（約０．０１インチ〜約２．０）インチまでで、さらに好ましくは約０．３２ｃｍ〜約２．５ｃｍ（約０．１２５インチ〜約１．０インチ）までである。図２の好ましい実施形態において、第１区域６４及び第２区域６６は実質的に線状で、シート材料５２の長手方向軸線に対して実質的に平行な方向に連続して伸張する。
【手続補正５】
【補正対象書類名】明細書
【補正対象項目名】００２３
【補正方法】変更
【補正の内容】
【００２３】
第１区域６４は弾性率Ｅ１及び断面積Ａ１を有する。第２区域６６は弾性率Ｅ２及び断面積Ａ２を有する。
【手続補正６】
【補正対象書類名】明細書
【補正対象項目名】００５１
【補正方法】変更
【補正の内容】
【００５１】
好ましくは、第１区域６４の幅６８は約０．０２５ｃｍ〜約１．２７ｃｍ（約０．０１インチ〜約０．５インチ）までで、さらに好ましくは約０．０７６ｃｍ〜約０．６４ｃｍ（約０．０３インチ〜約０．２５インチ）までである。ただし、第１区域６４を他の幅寸法にすることが好適な場合もある。第１区域６１と６２は相互に直角であり、均等に間隔を取られているので、第２区域６６は四角い形状である。しかしながら、第２区域６６には他の形状が好適であり、第１区域６４間の間隔を変更することによって、及び／若しくは第１区域６１と６２相互の配置を変更することによって、他の形状を達成してもよい。第２区域６６は第１軸線７０及び第２軸線７１を有する。第１軸線７０は実質的にウェブ材料５２の長手方向に平行であり、第２軸線７１は実質的にウェブ材料５２の横断方向に平行である。第１区域６４は弾性率Ｅ１及び断面積Ａ１を有する。第２区域６６は弾性率Ｅ２及び断面積Ａ２を有する。
【手続補正７】
【補正対象書類名】明細書
【補正対象項目名】００６２
【補正方法】変更
【補正の内容】
【００６２】
第１領域２８は周辺領域２８である。周辺領域２８は袋１０の周辺部１４に隣接し、親材料に固有の誘起（以下、誘導ともいう。）伸張性（以下、伸長性ともいう。）を超える誘導伸長性は有しない。第２領域２６は閉鎖領域２６である。閉鎖領域２６は周囲領域２８に隣接し、袋１０の底部１６に向かって配置される。閉鎖領域２６は矢印８０によって示されるように、充填方向２４に向けられた誘導伸長性を有する。第３領域３０は第２領域２６と隣接し、矢印８０によって示されるように、横断方向に向けられた誘導伸長性を有する。第４領域３２は、第１領域２８と同様、袋１０の底部１６に隣接し、誘導伸長性を有しない。誘導伸長性を有しない第１領域２８と第４領域３２は、充填方向２４にそれぞれ１．３センチメートル、及び６．４センチメートルの寸法を有する。第２領域２６は５５．９センチメートルの寸法を有し、第３領域３０は充填方向２４に２０．３センチメートルの寸法を有する。伸張性は、充填方向２４に平行で袋１０の全体寸法の約４０％としてもよいが、より大きい伸張性及びより小さい伸張性も好適である。
【手続補正８】
【補正対象書類名】明細書
【補正対象項目名】００６４
【補正方法】変更
【補正の内容】
【００６４】
図８においては、第３の実施例の袋１０が示されている。この袋１０は、図７の袋１０と同じ全体寸法、容積、周辺領域２８を有する。図８の袋１０は、親材料に存在する誘起（以下、誘引ともいう。）弾性を超えて、誘引弾性をもつ区域３８と、誘引弾性のない区域３９とが交互に存在する。誘引弾性の区域３８は、矢印８０により示されるように充填方向２４に平行な伸張性を有する。これらの誘引弾性をもつ区域３８はこの袋１０の閉鎖システムを提供する。交互の区域は、周囲部１４から袋１０の底部１６まで伸び、充填方向２４に平行な長手方向軸線に配向している。区域３８及び区域３９は幅が０．６センチメートルから３．０センチメートル、若しくはそれ以上の範囲としてもよい。幅は横断方向に平行にとられる。区域３８及び区域３９は同じ幅であっても、異なった幅であってもよい。前述の二例で示すように、この袋１０の周辺部１４と底部１６のいずれか、若しくは両方が、任意に誘引弾性のない連続した周辺区域を有してもよい。